(57)【要約】【解決手段】供給タンク２から供給水が供給される冷却タンク３で冷却器４により冷却した冷却水を吐出口５から吐出することができる。その冷却器４において、ペルチェ素子６の排熱側に設けた冷却体８は送風器１０により冷却されるヒートシンク１１に対しヒートパイプ１２により接続されている。【効果】冷却タンク３に対する隣接位置にある冷却体８から送風器１０及びヒートシンク１１を離して設置することができる。そのため、冷却タンク３に対する隣接位置のスペースばかりでなくケース１内のスペースを有効に利用して、送風器１０及びヒートシンク１１の設置位置及び設置面積を自由に選択することができる。従って、冷却器４の大型化が可能になって冷却性能を高めることができる。また，ヒートパイプ１２の熱伝導効率が良いため、冷却体８に対する排熱効率を維持して冷却性能を高めることができる。【選択図】図１
2008180453.tif 000002
【特許請求の範囲】
【請求項１】
供給水が供給される冷却タンクで冷却器により冷却した冷却水を吐出することができ、その冷却器において、ペルチェ素子の排熱側に設けた冷却体は冷媒発生手段により冷却されるヒートシンクに対しヒートパイプにより接続されていることを特徴とするウォーターサーバー。
【請求項２】
前記冷却器において、冷媒発生手段は送風器であることを特徴とする請求項１に記載のウォーターサーバー。
【請求項３】
前記冷却器において、冷媒発生手段により冷却されるヒートシンクとそのヒートシンクに接続したヒートパイプとを有する一組の熱伝導体を複数組備えていることを特徴とする請求項１または請求項２に記載のウォーターサーバー。
【発明の詳細な説明】
【技術分野】
【０００１】
本発明は、供給水が供給される冷却タンクで冷却器により冷却した冷却水を吐出することができるウォーターサーバーに関するものである。
【背景技術】
【０００２】
従来のウォーターサーバーにおいては、ケース上に供給タンクが載置され、そのケース内には、この供給タンクから供給水が供給される冷却タンクと、この冷却タンクに対する隣接位置に配設された冷却器とが設置され、この冷却器により冷却された冷却タンク内の冷却水を吐出口から吐出することができる。
【発明の開示】
【発明が解決しようとする課題】
【０００３】
しかし、冷却タンクに対する隣接位置で限られたスペースに冷却器を配設する場合、冷却器を小型化せざるを得ないため、冷却性能が低下する問題があった。
この発明は、ウォーターサーバーにおいて、冷却器を改良して冷却性能を高めることを目的としている。
【課題を解決するための手段】
【０００４】
後記実施形態の図面（図１）の符号を援用して本発明を説明する。
請求項１の発明にかかるウォーターサーバーは、下記のように構成されている。
供給水が供給される冷却タンク３で冷却器４により冷却した冷却水を吐出することができる。その冷却器４において、ペルチェ素子６の排熱側に設けた冷却体８は冷媒発生手段１０により冷却されるヒートシンク１１に対しヒートパイプ１２により接続されている。請求項１の発明では、ヒートパイプ１２の採用により、冷媒発生手段１０及びヒートシンク１１等の冷却部品の設置位置及び設置面積を自由に選択し易くなり、冷却器４の大型化が可能になって冷却性能を高めることができる。また、冷媒発生手段１０及びヒートシンク１１等の冷却部品を冷却体８から離しても、熱伝導効率の良いヒートパイプ１２の機能により、冷却体８に対する排熱効率を維持して冷却性能を高めることができる。
【０００５】
請求項１の発明を前提とする請求項２の発明にかかる冷却器４において、冷媒発生手段は送風器１０である。請求項２の発明では、冷媒発生手段を簡単にすることができる。
請求項１または請求項２の発明を前提とする請求項３の発明にかかる冷却器４において、冷媒発生手段１０により冷却されるヒートシンク１１とそのヒートシンク１１に接続したヒートパイプ１２とを有する一組の熱伝導体９を複数組備えている。請求項３の発明では、複数組の熱伝導体９により冷却性能を高めることができる。
【発明の効果】
【０００６】
本発明は、ウォーターサーバーにおいて、ヒートパイプ１２の採用により冷却器４の設計自由度が増し、冷却性能を高めることができる。
【発明を実施するための最良の形態】
【０００７】
以下、本発明の一実施形態にかかるウォーターサーバーについて図面を参照して説明する。
図１（ａ）に示すウォーターサーバーにおいては、ケース１上に供給タンク２が載置され、そのケース１内には、図１（ｂ）に示すように、この供給タンク２から供給水が供給される冷却タンク３と、この冷却タンク３内の供給水を冷却する冷却器４とが設置され、この冷却器４により冷却された冷却タンク３内の冷却水を吐出口５から吐出することができる。
【０００８】
前記冷却器４においては、冷却タンク３に隣接して設けられたペルチェ素子６の吸熱側にヒートシンク７が冷却タンク３内で設けられているとともに、このペルチェ素子６の排熱側に冷却体８が設けられ、この冷却体８に複数組（二組）の熱伝導体９が接続されている。各組の熱伝導体９は、それぞれ、冷媒発生手段としての送風器１０により冷却されるヒートシンク１１と、そのヒートシンク１１と前記冷却体８とに接続された複数（二本）のヒートパイプ１２とを備えている。
【０００９】
なお、図示しないが、ケース１内には、供給タンク２から供給水が供給される加熱タンクと、この加熱タンク内の供給水を加熱する加熱器とが設置され、この加熱器により加熱された加熱タンクの加熱水を吐出口から吐出することができる。
【００１０】
本実施形態は下記の効果を有する。
＊  冷却器４において、送風器１０により冷却されるヒートシンク１１と冷却体８とをヒートパイプ１２により接続しているので、冷却タンク３に対する隣接位置にある冷却体８から送風器１０及びヒートシンク１１を離して設置することができる。そのため、冷却タンク３に対する隣接位置のスペースばかりでなくケース１内のスペースを有効に利用して、送風器１０及びヒートシンク１１の設置位置及び設置面積を自由に選択することができる。従って、冷却器４の大型化が可能になって冷却性能を高めることができる。
【００１１】
＊  冷却器４において、冷却体８から送風器１０及びヒートシンク１１を離して設置しても、ヒートパイプ１２の熱伝導効率が良いため、冷却体８に対する排熱効率を維持して冷却性能を高めることができる。
【００１２】
＊  冷却器４においてペルチェ素子６とヒートシンク７と冷却体８と送風器１０とヒートシンク１１とに対しヒートパイプ１２を追加するだけの簡単な構造で、冷却器４を大型化することができる。
【００１３】
＊  冷却器４において、送風器１０により冷却されるヒートシンク１１とそのヒートシンク１１に接続したヒートパイプ１２とを有する一組の熱伝導体９を複数組備えているので、冷却体８に対する排熱効率を向上させるとともに各組ごとに送風器１０及びヒートシンク１１の設置位置及び設置面積を自由に選択して冷却性能を高めることができる。
【００１４】
前記実施形態以外にも下記のように構成してもよい。
・  前記ヒートシンク１１に対する冷却を空冷から水冷に変更する。
・  前記熱伝導体９を一組または三組以上設ける。
【００１５】
・  前記熱伝導体９のヒートパイプ１２を一本または三本以上設ける。
・  前記供給タンク２からの供給水に代えて、水道水を供給水として冷却タンク３に供給する。その際、水道水を浄水器に通した後にその濾過水を冷却タンク３に供給してもよい。
【図面の簡単な説明】
【００１６】
【図１】（ａ）は本実施形態にかかるウォーターサーバーを示す側面図であり、（ｂ）はそのウォーターサーバー内の回路図である。
【符号の説明】
【００１７】
３…冷却タンク、４…冷却器、６…ペルチェ素子、８…冷却体、９…熱伝導体、１０…
冷媒発生手段としての送風器、１１…ヒートシンク、１２…ヒートパイプ。
【図１】
2008180453.tif 000003